【手続補正書】
【提出日】令和3年11月5日(2021.11.5)
【手続補正１】
【補正対象書類名】特許請求の範囲
【補正対象項目名】全文
【補正方法】変更
【補正の内容】
【特許請求の範囲】
【請求項１】
ネットワークエンティティによるワイヤレス通信のための方法であって、
1つまたは複数の非ゼロ電力(NZP)CSI基準信号(CSI-RS)リソースと関連付けられた少なくとも1つのチャネル状態情報CSI報告構成を用いてUEを構成するステップと、
CSI計算において前記UEによって使用されるべき1つまたは複数の電力比を用いて前記UEを構成するステップと、
対応する測定品質に少なくとも部分的に基づいて、前記1つまたは複数の電力比のうちのどれが、前記1つまたは複数のNZP CSI-RSリソースの各々に適用されるべきであるかを決定するステップと、
前記UEから、前記構成に基づいてCSI報告を受信するステップと
を含む、方法。
【請求項２】
1つまたは複数の電力比を用いて前記UEを構成するステップが、
NZP CSI-RSリソースごとに少なくとも第1および第2の電力比をシグナリングするステップであって、前記対応する測定品質がチャネル測定(CM)である場合、前記第1の電力比がNZP CSI-RSリソースに適用され、前記対応する測定品質が干渉測定(IM)である場合、前記第2の電力比が前記NZP CSI-RSリソースに適用される、ステップか、または
少なくとも1つのCSI報告構成の各々に対して少なくとも第1および第2の電力比をシグナリングするステップであって、前記第1の電力比が、チャネル測定(CM)のために使用されるすべてのNZP CSI-RSリソースに適用され、前記第2の電力比が、干渉測定(IM)のために使用されるすべてのNZP CSI-RSリソースに適用される、ステップ
を含む、請求項1に記載の方法。
【請求項３】
前記少なくとも1つのCSI報告構成または前記1つもしくは複数の電力比のうちの少なくとも1つが、無線リソース制御(RRC)シグナリングまたは媒体アクセス制御(MAC)制御要素(CE)のうちの少なくとも1つを介して構成されるか、
前記1つまたは複数の電力比がポート固有であるか、または
前記1つまたは複数の電力比を用いて前記UEを構成するステップが、前記1つまたは複数の電力比のうちの少なくとも1つを明示的に送信するステップを含む、
請求項1に記載の方法。
【請求項４】
前記1つまたは複数の電力比が少なくとも第1および第2の電力比を含み、前記方法が、
前記第1の電力比が第1の電力オフセットおよび第1の電力しきい値によって形成されることを識別し、少なくとも前記第1の電力オフセットを送信するステップか、または
前記第2の電力比が第2の電力オフセットおよび第2の電力しきい値によって形成されることを識別し、少なくとも前記第2の電力オフセットを送信するステップ
のうちの少なくとも1つを含む、請求項1に記載の方法。
【請求項５】
前記1つまたは複数の電力比が少なくとも第1および第2の電力比を含み、
前記NZP CSI-RSがチャネル測定(CM)のために使用されるときに、前記CSIが前記第1の電力比を使用して計算されると仮定されるか、または、
前記NZP CSI-RSが干渉測定(IM)のために使用されるときに、前記CSIが前記第2の電力比を使用して計算されると仮定される、
請求項1に記載の方法。
【請求項６】
NZP CSI-RSリソースの数に少なくとも部分的に基づいて、前記1つまたは複数の電力比のうちの少なくとも1つを識別するステップをさらに含む、
請求項1に記載の方法。
【請求項７】
前記1つまたは複数の電力比のうちの少なくとも1つが、電力比の値の範囲としてシグナリングされる、請求項1に記載の方法。
【請求項８】
前記1つまたは複数の電力比のうちの第1の電力比の前記範囲を規定する第1の最大値および第1の最小値を前記UEに送信するステップと、
前記1つまたは複数の電力比のうちの第2の電力比の前記範囲を規定する第2の最大値および第2の最小値を前記UEに送信するステップと
をさらに含む、請求項7に記載の方法。
【請求項９】
第1の最大電力オフセット、第1の最小電力オフセット、および第1の電力しきい値に基づいて前記1つまたは複数の電力比のうちの第1の電力比の前記範囲を識別するステップと、
前記第1の最大電力オフセット、前記第1の最小電力オフセット、および前記第1の電力しきい値のうちの少なくとも1つを前記UEに送信するステップと、
第2の最大電力オフセット、第2の最小電力オフセット、および第2の電力しきい値に基づいて前記1つまたは複数の電力比のうちの第2の電力比の前記範囲を識別するステップと、
前記第2の最大電力オフセット、前記第2の最小電力オフセット、および前記第2の電力しきい値のうちの少なくとも1つを前記UEに送信するステップと
をさらに含む、請求項7に記載の方法。
【請求項１０】
前記CSIが、前記第1の電力比の前記範囲と関連付けられた第1の電力比と前記第2の電力比の前記範囲と関連付けられた第2の電力比との最悪のペアを介して計算されると仮定される、請求項7に記載の方法。
【請求項１１】
ユーザ機器(UE)によるワイヤレス通信のための方法であって、
1つまたは複数の非ゼロ電力(NZP)CSI基準信号(CSI-RS)リソースと関連付けられた少なくとも1つのチャネル状態情報CSI報告構成を用いて前記UEを構成することのシグナリングを受信するステップと、
CSI計算において前記UEによって使用されるべき1つまたは複数の電力比を用いて前記UEを構成することのシグナリングを受信するステップと、
対応する測定品質に少なくとも部分的に基づいて、前記1つまたは複数の電力比のうちのどれが、前記1つまたは複数のNZP CSI-RSリソースの各々に適用されるべきであるかを決定するステップと、
前記構成に基づいて計算されたCSI報告をするステップと
を含む、方法。
【請求項１２】
1つまたは複数の電力比を用いて前記UEを構成することの前記シグナリングが、
NZP CSI-RSリソースごとに少なくとも第1および第2の電力比のシグナリングを含み、前記対応する測定品質がチャネル測定(CM)である場合、前記第1の電力比がNZP CSI-RSリソースに適用され、前記対応する測定品質が干渉測定(IM)である場合、前記第2の電力比が前記NZP CSI-RSリソースに適用されるか、または
少なくとも1つのCSI報告構成の各々に対して少なくとも第1および第2の電力比のシグナリングを含み、前記第1の電力比が、チャネル測定(CM)のために使用されるすべてのNZP CSI-RSリソースに適用され、前記第2の電力比が、干渉測定(IM)のために使用されるすべてのNZP CSI-RSリソースに適用される、
請求項11に記載の方法。
【請求項１３】
前記少なくとも1つのCSI報告構成または前記1つまたは複数の電力比のうちの少なくとも1つが、無線リソース制御(RRC)シグナリングまたは媒体アクセス制御(MAC)制御要素(CE)のうちの少なくとも1つを介して構成されるか、
前記1つまたは複数の電力比がポート固有であるか、
前記1つまたは複数の電力比を用いて前記UEを構成することの前記シグナリングが、前記1つまたは複数の電力比のうちの少なくとも1つの明示的シグナリングを含むか、または
前記1つまたは複数の電力比が、少なくとも第1および第2の電力比を含み、前記方法が、前記第1の電力比が第1の電力オフセットおよび第1の電力しきい値によって形成されることを識別し、少なくとも前記第1の電力オフセットのシグナリングを受信するステップ、または前記第2の電力比が第2の電力オフセットおよび第2の電力しきい値によって形成されることを識別し、少なくとも前記第2の電力オフセットのシグナリングを受信するステップのうちの少なくとも1つを含む、
請求項11に記載の方法。
【請求項１４】
請求項1〜13のいずれか一項に記載の方法を実施するための手段を備える、装置。
【請求項１５】
命令を含むコンピュータプログラムであって、コンピュータによって実行されたとき、前記コンピュータに、請求項1〜13のいずれか一項に記載の方法を実施させる、コンピュータプログラム。